(57)【特許請求の範囲】
【請求項１】
角筒形状の胴を構成する前後左右の側板が角の蝶番構造を介して連結され、かつ、前記前後左右の側板のうち、左右の側板は各々、前後に位置する２つの板部が中間の蝶番構造を介して連結されてなり、底面には、布または樹脂フィルムからなる素材が前記前後左右の側板のうち、相対向する側板の下端部の各々に固定されて張られた箱形の缶体と、
前記底面の内側で前記前後左右の側板のうち、前後の側板の各々の下端部に中敷用の蝶番構造を介して連結された一対の中敷板と、
前記左右の側板に連結された手提げ用の持ち手と、
前記中敷用の蝶番構造で折れ曲がって前記一対の中敷板が各々、前記前後の側板の内面に重なった状態で、前記左右の側板が各々、前記中間の蝶番構造で内側に折れ曲がる際に、前記前後左右の側板が前記角の蝶番構造で折れ曲がって、前記左右の側板が前記前後の側板の間に挟まるように折りたたまれた状態を保持する保持手段と、
を有し、
前記保持手段による前記折りたたまれた状態の保持を解除して前記前後左右の側板によって前記角筒形状の胴を構成したとき、前記素材が展開して前記底面を構成するとともに、当該底面の上に前記中敷板が平伏した状態に重なって前記角筒形状が維持され、
前記左右の側板の前後方向の寸法は、前記前後の側板の左右方向の寸法より大であり、
前記一対の中敷板は、各々が独立して前記前後の側板の各々の下端部に前記中敷用の蝶番構造を介して連結され、
前記左右の側板が前記中間の蝶番構造で内側に折れ曲がって前記前後の側板の間に挟まれた際、前記左右の側板のうち、左側の側板において前記中間の蝶番構造で折れ曲がった前記２つの板部と、右側の側板において前記中間の蝶番構造で折れ曲がった前記２つの板部とは、少なくとも一部が前後方向で重なった状態となることを特徴とする折りたたみ式手提げカゴ。
【請求項２】
前記角の蝶番構造、前記中間の蝶番構造、および前記中敷用の蝶番構造のいずれかは、隣り合う前記側板同士を一体に構成する樹脂製板に形成された肉薄部分からなる折り曲げ部分、前記２つの板部を一体に構成する樹脂製板に形成された肉薄部分からなる折り曲げ部分、または前記側板と前記中敷板とを一体に構成する樹脂製板に形成された肉薄部分からなる折り曲げ部分であることを特徴とする請求項１に記載の折りたたみ式手提げカゴ。
【請求項３】
前記角の蝶番構造、前記中間の蝶番構造、および前記中敷用の蝶番構造のいずれかは、折り曲げ可能な樹脂製板からなることを特徴とする請求項１に記載の折りたたみ式手提げカゴ。
【請求項４】
前記保持手段は、前記折りたたまれた状態で前記左右の側板に形成された穴が重なってなる貫通穴を前記前後の側板の一方から他方に通されて当該他方でホック、フック、または面ファスナーで止められたベルトであることを特徴とする請求項１乃至３の何れか一項に記載の折りたたみ式手提げカゴ。
【請求項５】
前記持ち手は、前記左右の側板との取り付け位置で旋回可能であることを特徴とする請求項１乃至４の何れか一項に記載の折りたたみ式手提げカゴ。
【請求項６】
前記折りたたまれた状態で前記前後左右の側板に形成された穴が重なって取っ手が構成されることを特徴とする請求項１乃至５の何れか一項に記載の折りたたみ式手提げカゴ。
【請求項７】
前記底面の部材を構成する素材が前記側板に対して着脱可能であることを特徴とする請求項１乃至６の何れか一項に記載の折りたたみ式手提げカゴ。
【発明の詳細な説明】
【技術分野】
【０００１】
本発明は、主にスーパーマーケットなどでの、日々の買物の利便性の向上と、省資源、エコロジーに関するものである。
【背景技術】
【０００２】
従来、スーパーマーケットなどでの買物は、客が各店舗に備えてある買物カゴに欲しい商品を取り入れた後、レジのテーブルへ持ち運び、レジ係の店員が同じ空のカゴに商品を移し替えながら精算し、商品の数量、内容に応じてレジ袋の大小、枚数を受け取り、再び客が店舗に設置された別の作業台に持ち運び、商品をレジ袋に詰め替えて持ち帰るやり方が一般的である。
【０００３】
近年、エコロジーの観点から使い捨てのプラスチックフィルム製のレジ袋は問題となり、マイバッグ運動、店舗側も買物ポイントをつけるなど、買物袋を持参する人が増えてはきているが、手ぶらで買物ができず、詰め替えの手間は変わらないし、持参の袋の容量はレジ係の店員には把握できないため、袋を持参した客の中にも予備のレジ袋をもらいにレジに引き返す客を見かけるし、容量の大きな袋は仕舞サイズも大きくなり、カゴといっしょに店内を持ち歩くのが面倒である。
【０００４】
店舗に備え付けの空のカゴを利用して、カゴの上縁外周に袋の口部分をかぶせてカゴに内接させてセットし、レジでの精算時の移し替えで、後の詰め替え作業とレジ袋を不要とできるよう利便性も考えた買物袋も時折見かける。このやり方だとカゴに収まった商品は確実に袋に収まることになるのだが、カゴは店舗ごとに寸法が異なるため、袋の上縁にかぶせる口の部分はかぶせる分だけ幅が広いメッシュ生地としていたり、手早く内接させるため下部の袋部分は腰の強い布生地を使用していて、仕舞サイズは袋の構成の手段の分だけ大きくなる。
【先行技術文献】
【特許文献】
【０００５】
【特許文献１】特開２００１−８７０２２号公報
【特許文献２】特開２００１−１６９８１６号公報
【発明の概要】
【発明が解決しようとする課題】
【０００６】
前記、空のカゴを利用して、持参の袋をかぶせてセットするやり方は良い方法ではあるが、セットすることは比較的簡単だが、カゴの上部に付いているハンドルの上からかぶせることになり、商品の種類、量によっては、口部分を紐で絞って結び商品がこぼれ出ないようにしてからでないと袋を取り出せない。レジが混雑して、客が取り出す場合、作業台への運搬にハンドルが使用できない。
【０００７】
店舗には、レジが混雑する時間帯があり、袋の着脱はレジ係の店員が行うのか、客がするのか、着脱にまごつくと後列がイライラしているのを見受けるし、客がセットするにせよ、カゴは誰が供給するのか、客列の側の手元にカゴの置場所の確保は、レジのテーブルの広さに余裕はあるか、レジの数、係員を簡単に増やすことができるのかなど、店舗の事情にも係わってくる。
【０００８】
そのほか、マイカーによる買物では、商品の種類、内容、量によっては袋の場合座りが悪く、急ブレーキでなくてもシートから床に転がり落ちたりすることがしばしば起こる。商品にはタマゴやケーキなども含まれる。
【０００９】
また、カゴに袋をセットする方法では、カゴから引き出すとき袋がすぼむことによる圧力に、タマゴなどの商品は予めの配置に注意が必要となり、このことも袋のセットは店員か、客かの問題と係わってくる。
【課題を解決するための手段】
【００１０】
本発明は前記の課題を、レジでの精算以降においては、店舗に備え付けのカゴを全く利用、使用しなくてよいカゴそのものを持参することで解決しようとするものである。
【００１１】
上記課題を解決するために、本発明では、カゴは、箱形の缶体の胴回りを前後左右の側板を蝶番で連結し、底面を布張りとして、薄くコンパクトに折りたたむことができるようにした。また、カゴは手に持ったまま素早く展開できることを優先し、折りたたみは簡単であればよい。このカゴは、展開時には店舗に備え付けのカゴと同等以上の容積を有しているが、薄くコンパクトに折りたたまれているため、店舗に備え付けのカゴの内壁に立てかけて収めても、さして邪魔にはならず商品を収める内容積を十分確保でき、分けて持たず持ち歩くことができる。布張りの底面の補強と展開を維持させる中敷板は、別の部材として携行の必要のないよう、いっしょに折りたたまれるように装備した。
より具体的には、本発明に係る折りたたみ式手提げカゴにおいて、展開されたカゴは、胴回りとなる前後左右の側板を蝶番構造で連結し、底面には、伸縮性のない布、樹脂フィルムなどの素材が展開された方形寸法で、連結された各側板の下部周囲に固定されて張られている、折りたたむことができる箱形の缶体と、内部にその方形の維持と、収めた品物の荷重による底面の変形を防止するための、底内面寸法に接する中敷板が、側板と底面の間をスイング可動でき、一緒に折りたためるように側板に蝶番構造で取り付けられていることを特徴とし、帯紐などの手提げ用の持ち手と、折りたたんだ状態を保持できる手段を具備したことを特徴とする。
すなわち、本発明に係る折りたたみ式手提げカゴは、角筒形状の胴を構成する前後左右の側板（前後の側板１、左右の側板２）が角の蝶番構造（蝶番６）を介して連結され、かつ、前記前後左右の側板のうち、左右の側板（左右の側板２）は各々、前後に位置する２つの板部が中間の蝶番構造（蝶番６）を介して連結されてなり、底面（底面３）には、布または樹脂フィルムからなる素材が前記前後左右の側板のうち、相対向する側板（前後の側板１、左右の側板２）の下端部の各々に固定されて張られた箱形の缶体と、前記底面（底面３）の内側で前記前後左右の側板のうち、前後の側板（前後の側板１）の各々の下端部に中敷用の蝶番構造（蝶番６）を介して連結された一対の中敷板（中敷板４）と、前記左右の側板（左右の側板２）に連結された手提げ用の持ち手（バンド７）と、前記中敷用の蝶番構造（蝶番６）で折れ曲がって前記一対の中敷板（中敷板４）が各々、前記前後の側板（前後の側板１）の内面に重なった状態で、前記左右の側板（左右の側板２）が各々、前記中間の蝶番構造（蝶番６）で内側に折れ曲がる際に、前記前後左右の側板（前後の側板１、左右の側板２）が前記角の蝶番構造（蝶番６）で折れ曲がって、前記左右の側板（左右の側板２）が前記前後の側板（前後の側板１）の間に挟まるように折りたたまれた状態を保持する保持手段（クランプベルト８）と、を有し、前記保持手段（クランプベルト８）による前記折りたたまれた状態の保持を解除して前記前後左右の側板（前後の側板１、左右の側板２）によって前記角筒形状の胴を構成したとき、前記素材が展開して前記底面（底面３）を構成するとともに、当該底面（底面３）の上に前記中敷板（中敷板４）が平伏した状態に重なって前記角筒形状が維持され、前記左右の側板（左右の側板２）の前後方向の寸法は、前記前後の側板（前後の側板１）の左右方向の寸法より大であり、前記一対の中敷板は、各々が独立して前記前後の側板の各々の下端部に前記中敷用の蝶番構造を介して連結され、前記左右の側板が前記中間の蝶番構造で内側に折れ曲がって前記前後の側板の間に挟まれた際、前記左右の側板（左右の側板２）のうち、左側の側板において前記中間の蝶番構造で折れ曲がった前記２つの板部と、右側の側板において前記中間の蝶番構造で折れ曲がった前記２つの板部とは、少なくとも一部が前後方向で重なった状態となることを特徴とする。
【００１２】
本発明において、請求項１の蝶番が必要な部分を、折り曲げの繰り返しに耐久性を有する素材の樹脂製板などを側板、中敷板に使用し、折り曲げ線位置の板厚を適度な薄さとし、側板どうしを直接一体で成形したことが好ましい。
すなわち、本発明において、前記角の蝶番構造（蝶番６）、前記中間の蝶番構造（蝶番６）、および前記中敷用の蝶番構造（蝶番６）のいずれかは、図８に示すように、隣り合う前記側板（側板１、２）同士を一体に構成する樹脂製板に形成された肉薄部分からなる折り曲げ部分、前記２つの板部を一体に構成する樹脂製板に形成された肉薄部分からなる折り曲げ部分、または前記側板（側板１、２）と前記中敷板（中敷板４）とを一体に構成する樹脂製板に形成された肉薄部分からなる折り曲げ部分であることが好ましい。
本発明において、各側板の全周、および中敷板の全ての板どうしを、請求項２の直接一体で成形した蝶番構造で連結するには、どこかに別の接続手段が必要となるし、板材の展開面積も広くなり、板材の歩留などコストにも係わる。よって、蝶番が必要な箇所の一部、または全箇所を一体ではなく各板どうしの接続の手段を兼ねることができる別部品として、旋回軸を有する一般的な蝶番ではなく、そのまま折り曲げが可能な適度の板厚で、折り曲げの繰り返しに耐久性を有する素材の樹脂製板などとすることが好ましい。
すなわち、本発明において、前記角の蝶番構造（蝶番６）、前記中間の蝶番構造（蝶番６）、および前記中敷用の蝶番構造（蝶番６）のいずれかは、図７に示すように、折り曲げ可能な樹脂製板からなることが好ましい。
【００１３】
本発明において、折りたたまれた各板の間を重なり合って貢通する穴にベルトを通し、両側の外面の一方にベルトの他端を固定し、もう一方をホック、フック、面ファスナーなどで簡単に着脱できるようにした、折りたたんだ状態を保持できる機能を装備することが好ましい。
すなわち、前記保持手段（クランプベルト８）は、前記折りたたまれた状態で前記左右の側板に形成された穴（穴１３）が重なってなる貫通穴を前記前後の側板（前後の側板１）の一方から他方に通されて当該他方でホック、フック、または面ファスナーで止められたベルトであることが好ましい。
本発明において、手提げの、帯状の紐などからなる持ち手が、取付け端の止め具を軸芯に、荷重の分散位置、開口部の邪魔にならない位置、折りたたみに都合のよい位置へ、自在に旋回出来るように取り付けられていることが好ましい。
すなわち、本発明において、前記持ち手（バンド７）は、前記左右の側板（左右の側板２）との取り付け位置で旋回可能であることが好ましい。
本発明において、各板の部材に、折りたたまれた状態で重なり合って貫通する、取っ手となる形状の穴を有することが好ましい。
すなわち、本発明において、前記折りたたまれた状態で前記前後左右の側板に形成された穴（穴１２）が重なって取っ手が構成されることが好ましい。
本発明において、請求項１の底面の部材を着脱できるようにすることが好ましい。
すなわち、本発明において、前記底面（底面３）の部材を構成する素材が前記側板（前後の側板１、左右の側板２）に対して着脱可能であることが好ましい。
【発明の効果】
【００１４】
精算前の商品の収まったカゴをレジのテーブルに置き、折りたたまれたカゴを抜き出し、手に持ったまま簡単に素早く展開できるため、展開にテーブルは不要であるし、前の客の精算が終わるまでには、余裕をもって準備は完了しているので、すぐに店員の前に置くことができる。よって、店舗、店員に全く手間や面倒をかけることもない。
【００１５】
店舗のカゴに収まった商品は、確実に持参のカゴにも収まるし、また従来、レジ係の店員は、移し替えの際、丈夫な物、堅い物、長いもの、タマゴなどの壊れやすいものなど、手際よくレイアウトしている。よって、袋に詰め替る場合や、カゴにセットされた袋を引き抜く際の注意も必要なく、カゴは収まりも、安定性もよく、袋と違ってマイカー車内の座席の上などで転がらない。
【図面の簡単な説明】
【００１６】
【図１】本発明の概要を示した斜視図である。
【図２】本発明の折りたたみの過程状況を示す斜視図である。
【図３】本発明の折りたたまれたカゴの状態を示す図である。
【図４】折りたたまれた状態を示す部分断面図
【図５】本発明の横断面図
【図６】本発明の底面からの斜視図
【図７】本発明品の構成に必要な蝶番部分の詳細図
【図８】折り曲げ線の位置を薄くして樹脂で一体成形とした蝶番構造を示す詳細図
【発明を実施するための形態】
【００１７】
【実施例】
【００１８】
図１〜図３に示す折りたたみ式手提げカゴにおいて、カゴの缶体の胴回り部分は、前後の側板１の２枚と左右の側板２の４枚からなり、それぞれの側板は折り曲げ線上の位置の蝶番構造で接続されている。実施例では、側板１と側板２に屈伸の耐久性に優れたポリプロピレン製の板を使用し、折り曲げ線上の位置５を適度に薄くして一体化としたが、側板はどこかで接続することが必要なので、側板２どうしの接続は、適度な肉厚のポリプロピレン樹脂板を直接折り曲げる蝶番６で接続した。蝶番６はリベット９で取り付けてある。また、この折り曲げ位置５と蝶番６の配置は実施例とかえても機能は変わらない。
【００１９】
カゴの缶体の底面３は、折りたたみに支障のない布張りとした。図６のように底面３の布は胴が方形に展開した以上に広がらないよう、太鼓の胴に皮を張る要領で側板の下部に巻きかけてリベット１０で取り付けられている。布の素材は伸縮性が無く、液漏れしにくいものを使用、またリベットに換えてホックなどで止めると着脱出来て洗濯もできるし、交換もできる。
【００２０】
底面３は、布張りでも荷重には十分耐えられるのだが、板と違って変形に対して腰がないため、荷重による底面のへこみ防止と、展開の方形を維持するための、底の内面幅に接する中敷の板が必要となる。この中敷板４は、前後側板１に一対の２枚が蝶番６で取り付けてある。また、蝶番を前記の一体で成形しても、中敷板４の一対を蝶番で接続し前後いずれの一方に寄せて折りたたむようにしても機能は変わらない。
【００２１】
カゴには、図５で示すように、取り付けたリベット１１を軸芯として旋回できる、手提げの持ち手となる２本のバンド７と、図４で示す、折りたたんだ状態を保持するクランプベルト８を具備している。
【００２２】
折りたたむときは、まず中敷板４を起こし、左右の側板２を内側に押すと図２で示すように変形していく。あとは前後の側板１を押し込めば折りたたむことができる。
【００２３】
折りたたまれたカゴは、蝶番の弾性力、はさみ込まれた底面の布、バンド７、リベット頭などでしなって変形した各側板の弾性力を受けて拡がろうとするため、折りたたまれた状態を保持する必要がある。弾性力がバランスよくいなせる側板の中央付近の位置に保持具のクランプベルト８を設けている。
【００２４】
クランプベルト８を使用するには、図４に示すように、前後左右の各側板１，２と中敷板４が重なり合って貫通する穴１３を通したクランプベルト８で止める。クランプベルト８は、側板１の一方にリベットで固定され対面の側板に着脱できるホック１４で固定する。
【００２５】
クランプベルト８のホック１４を外すと、前記の弾性力を受けてある程度広がることは、素早く展開できることへ有効に作用する。また、中敷板４は弾性力、自重で底面へ下倒する。
【００２６】
持ち手となるバンド７は、図３で示すように外に出したまま折りたたんで、そのまま持ち手としてもよいし、内側にはさみこんで折りたたんでもよい。また、重なって貫通する穴１２も取っ手として使用できる。
【産業上の利用可能性】
【００２７】
本発明の折りたたみ式手提げカゴは、徒歩，マイカーでの買物には便利であるが、自転車の場合に問題が残る。おもに主婦が使用する自転車はハンドルのまえに網カゴは付いているのだが、折りたたまれた状態では余裕で入るが、展開された本発明のカゴはそのままでは利用できない。
【００２８】
エコロジーの視点からすれば、レジ袋をとやかく言うことより、自転車での買物のほうがはるかにエコだといえます。そこで、自転車に本発明のカゴ専用の架台を設置することに発展できる。また、買物以外にも使用できる。
【符号の説明】
【００２９】
１  前後の側板
２  左右の側板
３  底面
４  中敷板
５  折曲げ位置
６  蝶番（板蝶番）
７  持ち手のバンド
８  クランプベルト
９  リベット
１０  リベット
１１  リベット
１２  取っ手用の穴
１３  穴（貫通穴）
１４  着脱用のホック
【図１】
0005620318.tif 000002
【図２】
0005620318.tif 000003
【図３】
0005620318.tif 000004
【図４】
0005620318.tif 000005
【図５】
0005620318.tif 000006
【図６】
0005620318.tif 000007
【図７】
0005620318.tif 000008
【図８】
0005620318.tif 000009